(57)【要約】【課題】不要な録画処理を抑制しつつ、ＣＭの放送中に異なるチャンネルへの切り替えが行われた場合に、もともと視聴していた番組と、切り替えたチャンネルの番組との両方の視聴が可能な放送信号受信機及びテレビジョン受信機を提供する。【解決手段】制御部１０は、ユーザによって選択された第１のチャンネルの番組の視聴を開始した場合、視聴を開始した時点の時刻が、視聴を開始した番組の放送開始時刻から所定時間内の時刻であるか否かを判断する。放送開始時刻から所定時間内の時刻であれば、制御部１０は、この番組の連続視聴時間を計時し、連続視聴時間が所定時間以上となった場合、この第１のチャンネルを録画候補とする。その後、第１のチャンネルでＣＭ信号の放送中に異なる第２のチャンネルに切り替えられ、ＣＭ信号の放送終了後も、第２のチャンネルの視聴が継続された場合、制御部１０は、第１のチャンネルの番組を録画する。【選択図】図１
2014049894.tif 000002
【特許請求の範囲】
【請求項１】
テレビジョン放送用の複数のチャンネルのいずれかの選択を受け付ける受付部と、該受付部が選択を受け付けたチャンネルにて、広告信号、番組信号及び各番組の放送開始時刻を含む放送信号を受信する複数の受信部と、いずれかの受信部が受信した放送信号を表示装置へ出力する出力部とを備える放送信号受信機において、
時計部と、
いずれかの受信部が第１のチャンネルにて放送信号の受信を開始した時点で前記時計部が示す時刻が、前記受信部が受信する放送信号に含まれる番組信号の放送開始時刻から所定時間内の時刻であるか否かを判断する第１判断部と、
前記受信部が前記第１のチャンネルにて放送信号を継続して受信する受信時間が所定時間を経過したか否かを判断する第２判断部と、
前記第１判断部が前記所定時間内の時刻であると判断し、前記第２判断部が前記所定時間を経過したと判断した後に、前記受付部が第２のチャンネルの選択を受け付けた場合、その時点で前記受信部が前記第１のチャンネルにて受信する放送信号が広告信号であるか否かを判定する判定部と、
前記受付部が前記第２のチャンネルの選択を受け付けた場合、異なる受信部が前記第２のチャンネルにて受信する放送信号を前記出力部にて表示装置へ出力する出力信号制御部と、
前記判定部が広告信号であると判定した場合、前記受信部が前記第１のチャンネルにて受信する放送信号が番組信号に切り替わったか否かを検出する信号切替検出部と、
該信号切替検出部が番組信号に切り替わったことを検出した場合、前記受信部が前記第１のチャンネルにて受信する放送信号を記録する記録部と
を備えることを特徴とする放送信号受信機。
【請求項２】
前記判定部が広告信号であると判定した場合、前記受信部が前記第１のチャンネルにて受信する放送信号が番組信号に切り替わるまでの間に、前記受付部が前記第１のチャンネルの選択を受け付けたか否かを検出するチャンネル切替検出部を備え、
前記記録部は、前記チャンネル切替検出部が前記第１のチャンネルの選択を受け付けたことを検出した場合、前記第１のチャンネルにて受信される放送信号を記録しないようにしてあることを特徴とする請求項１に記載の放送信号受信機。
【請求項３】
前記記録部が前記第１のチャンネルにて受信する放送信号の記録中に、前記受付部が前記第１のチャンネルの選択を受け付けた場合、前記記録部が記録した放送信号の再生指示を受け付ける再生指示受付部を備え、
前記出力信号制御部は、前記再生指示受付部が再生指示を受け付けた場合、前記記録部に記録された放送信号を前記出力部にて前記表示装置へ出力するようにしてあることを特徴とする請求項１又は２に記載の放送信号受信機。
【請求項４】
前記放送信号は、各番組のジャンル情報を含み、
記録対象とする番組のジャンル情報を記憶するジャンル記憶部と、
いずれかの受信部が第１のチャンネルにて放送信号の受信を開始した場合に、前記放送信号に含まれる番組信号のジャンル情報が、前記ジャンル記憶部に記憶してあるジャンル情報であるか否かを判断するジャンル判断部とを備え、
前記第１判断部は、前記ジャンル記憶部に記憶してあるジャンル情報であると判断された場合に、前記放送信号の受信を開始した時点で前記時計部が示す時刻が、前記放送開始時刻から所定時間内の時刻であるか否かを判断するようにしてあり、
前記第２判断部は、前記ジャンル記憶部に記憶してあるジャンル情報であると判断された場合に、前記受信部が前記第１のチャンネルにて放送信号を継続して受信する受信時間が所定時間を経過したか否かを判断するようにしてあることを特徴とする請求項１から３までのいずれかひとつに記載の放送信号受信機。
【請求項５】
請求項１から４までのいずれかひとつに記載の放送信号受信機と、
該放送信号受信機から出力される放送信号に基づいて映像を表示する表示装置と
を備えることを特徴とするテレビジョン受信機。
【発明の詳細な説明】
【技術分野】
【０００１】
本発明は、テレビジョン放送を受信する放送信号受信機、該放送信号受信機で受信したテレビジョン放送に基づいて映像を表示するテレビジョン受信機に関する。
【背景技術】
【０００２】
テレビジョン放送を受信して視聴するテレビジョン受信機が普及している。民間の放送事業者によるテレビジョン放送においては、番組の途中にコマーシャルメッセージ（以下、ＣＭという）が適宜挿入されている。視聴者は、あるチャンネルの番組の視聴中にＣＭが開始された場合、チャンネルを切り替え、異なるチャンネルの番組を少しの時間視聴した後、元のチャンネルに戻し、もともと視聴していた番組の視聴を継続することがある。また、視聴者によっては、もともと視聴していた番組の視聴も継続したいが、チャンネルを切り替えた後の番組も視聴したいという状況が生じることもある。
【０００３】
そこで、特許文献１では、もともと視聴していた番組と、チャンネルを切り替えた後の番組との両方を視聴できる映像受信機が提案されている。特許文献１に開示された装置は、連続視聴時間が所定の条件を満たしたチャンネルを録画候補チャンネルとし、このチャンネルでＣＭが放送されているときに他のチャンネルに切り替えられた場合、元のチャンネル（録画候補チャンネル）の番組を録画する構成である。このような構成により、視聴者は、チャンネルを切り替えた後の番組をそのまま視聴できると共に、チャンネルを切り替える前の番組（録画候補チャンネルの番組）は録画されるので後日視聴できる。
【先行技術文献】
【特許文献】
【０００４】
【特許文献１】特開２０１１−１６６５４８号公報
【発明の概要】
【発明が解決しようとする課題】
【０００５】
特許文献１に開示された装置は、視聴中の録画候補チャンネルでＣＭが放送されているときに他のチャンネルに切り替えられた場合、録画候補チャンネルの番組を録画する。従って、視聴者の視聴状態によっては、録画候補チャンネルの登録及び録画候補チャンネルの番組録画が繰り返される可能性があり、多数の録画処理が実行される可能性があるという問題を有する。また、録画を開始する条件を満たした時点で録画処理が開始されるので、番組の放送開始時刻からの経過時間又は番組の残りの放送時間等にかかわらず録画処理が開始され、不要な録画処理が実行されるという問題がある。
【０００６】
本発明は、斯かる事情に鑑みてなされたものである。その目的とするところは、不要な録画処理を抑制しつつ、ＣＭの放送中に異なるチャンネルへの切り替えが行われた場合に、もともと視聴していた番組の視聴も可能な放送信号受信機及びテレビジョン受信機を提供することにある。
【課題を解決するための手段】
【０００７】
本発明に係る放送信号受信機は、テレビジョン放送用の複数のチャンネルのいずれかの選択を受け付ける受付部と、該受付部が選択を受け付けたチャンネルにて、広告信号、番組信号及び各番組の放送開始時刻を含む放送信号を受信する複数の受信部と、いずれかの受信部が受信した放送信号を表示装置へ出力する出力部とを備える放送信号受信機において、時計部と、いずれかの受信部が第１のチャンネルにて放送信号の受信を開始した時点で前記時計部が示す時刻が、前記受信部が受信する放送信号に含まれる番組信号の放送開始時刻から所定時間内の時刻であるか否かを判断する第１判断部と、前記受信部が前記第１のチャンネルにて放送信号を継続して受信する受信時間が所定時間を経過したか否かを判断する第２判断部と、前記第１判断部が前記所定時間内の時刻であると判断し、前記第２判断部が前記所定時間を経過したと判断した後に、前記受付部が第２のチャンネルの選択を受け付けた場合、その時点で前記受信部が前記第１のチャンネルにて受信する放送信号が広告信号であるか否かを判定する判定部と、前記受付部が前記第２のチャンネルの選択を受け付けた場合、異なる受信部が前記第２のチャンネルにて受信する放送信号を前記出力部にて表示装置へ出力する出力信号制御部と、前記判定部が広告信号であると判定した場合、前記受信部が前記第１のチャンネルにて受信する放送信号が番組信号に切り替わったか否かを検出する信号切替検出部と、該信号切替検出部が番組信号に切り替わったことを検出した場合、前記受信部が前記第１のチャンネルにて受信する放送信号を記録する記録部とを備えることを特徴とする。
【０００８】
本発明によれば、放送信号受信機は、第１のチャンネルの放送信号の受信を開始した場合、その時点の時刻が、前記放送信号に含まれる番組信号の放送開始時刻から所定時間内の時刻であるか否かを判断する第１の判断処理を行う。また放送信号受信機は、第１のチャンネルの放送信号を継続して受信する受信時間が所定時間を経過したか否かを判断する第２の判断処理を行う。放送信号受信機は、第１の判断処理で所定時間内の時刻であると判断し、第２の判断処理で所定時間を経過したと判断した後に、異なる第２のチャンネルが選択された場合、その時点における第１のチャンネルの放送信号が広告信号であるか否かを判定する。なお、放送信号受信機は、第２のチャンネルが選択された場合、第２のチャンネルの放送信号を表示装置へ出力するので、第２のチャンネルの番組は表示装置で視聴可能となる。第２のチャンネルが選択された時点における第１のチャンネルの放送信号が広告信号であった場合、第１のチャンネルの放送信号が広告信号から番組信号に切り替わったか否かを検出し、切り替わった後、第１のチャンネルの放送信号の記録を開始する。よって、もともと視聴していた第１のチャンネルの番組は録画（記録）されるので、第１のチャンネルの番組は後日視聴可能である。また、視聴を開始した時点の時刻が、番組の放送開始時刻から所定時間内の時刻であり、且つ、継続して視聴した時間が所定時間以上であるチャンネルに、録画（記録）候補となるチャンネルが制限される。よって、録画処理の増加を抑制し、不要な録画処理の実行を回避できる。
【０００９】
本発明に係る放送信号受信機は、前記判定部が広告信号であると判定した場合、前記受信部が前記第１のチャンネルにて受信する放送信号が番組信号に切り替わるまでの間に、前記受付部が前記第１のチャンネルの選択を受け付けたか否かを検出するチャンネル切替検出部を備え、前記記録部は、前記チャンネル切替検出部が前記第１のチャンネルの選択を受け付けたことを検出した場合、前記第１のチャンネルにて受信される放送信号を記録しないようにしてあることを特徴とする。
【００１０】
本発明によれば、放送信号受信機は、第１のチャンネルにて広告信号の放送中（受信中）に第２のチャンネルに切り替えられた場合であっても、第１のチャンネルによる広告信号の放送終了までに、第１のチャンネルに再度切り替えられた場合には、第１のチャンネルの放送信号を記録しない。よって、もともと視聴していた第１のチャンネルにおいて、広告信号の放送終了前に視聴が再開された場合は、録画する必要はないので、録画しない。
【００１１】
本発明に係る放送信号受信機は、前記記録部が前記第１のチャンネルにて受信する放送信号の記録中に、前記受付部が前記第１のチャンネルの選択を受け付けた場合、前記記録部が記録した放送信号の再生指示を受け付ける再生指示受付部を備え、前記出力信号制御部は、前記再生指示受付部が再生指示を受け付けた場合、前記記録部に記録された放送信号を前記出力部にて前記表示装置へ出力するようにしてあることを特徴とする。
【００１２】
本発明によれば、放送信号受信機は、第１のチャンネルの放送信号の記録中に、第１のチャンネルを選択された場合、記録中の放送信号を再生するか否かの再生指示を受け付ける。放送信号受信機は、記録中の放送信号を再生する再生指示を受け付けた場合、記録している第１のチャンネルの放送信号を表示装置へ出力する。よって、ＣＭの放送中に他のチャンネルに切り替えられることによって視聴が中断された第１のチャンネルの番組を、その続きから視聴することができる。一方、放送信号受信機は、記録中の放送信号を再生しない指示を受け付けた場合、第１のチャンネルで現在放送中（受信中）の番組を表示装置へ出力する。よって、第１のチャンネルで現在放送中の番組を視聴することができる。
【００１３】
本発明に係る放送信号受信機は、前記放送信号は、各番組のジャンル情報を含み、記録対象とする番組のジャンル情報を記憶するジャンル記憶部と、いずれかの受信部が第１のチャンネルにて放送信号の受信を開始した場合に、前記放送信号に含まれる番組信号のジャンル情報が、前記ジャンル記憶部に記憶してあるジャンル情報であるか否かを判断するジャンル判断部とを備え、前記第１判断部は、前記ジャンル記憶部に記憶してあるジャンル情報であると判断された場合に、前記放送信号の受信を開始した時点で前記時計部が示す時刻が、前記放送開始時刻から所定時間内の時刻であるか否かを判断するようにしてあり、前記第２判断部は、前記ジャンル記憶部に記憶してあるジャンル情報であると判断された場合に、前記受信部が前記第１のチャンネルにて放送信号を継続して受信する受信時間が所定時間を経過したか否かを判断するようにしてあることを特徴とする。
【００１４】
本発明によれば、放送信号受信機は、記録対象とする番組のジャンルを予め記憶しており、予め記憶されたジャンルの番組についてのみ、上述した処理を行う。即ち、予め設定されたジャンルの番組が視聴されているときに、ＣＭの放送中に他のチャンネルに切り替えられ、そのまま他のチャンネルの番組が視聴された場合、もともと視聴されていた番組を記録する。よって、視聴者が見逃したくない番組のジャンルを予め登録しておくことにより、一旦視聴を開始した番組を、チャンネルの切り替えを行うことによって見逃す可能性を低減させることができる。
【００１５】
本発明に係るテレビジョン受信機は、上述したいずれかの放送信号受信機と、該放送信号受信機から出力される放送信号に基づいて映像を表示する表示装置とを備えることを特徴とする。
【００１６】
本発明によれば、上述したようにＣＭの放送中に異なるチャンネルに切り替えられた場合に、もともと視聴していた番組を録画することによって、切り替えられたチャンネルの番組及びもともと視聴していた番組の視聴が可能なテレビジョン受信機を実現できる。
【発明の効果】
【００１７】
本発明では、第１のチャンネルの番組が視聴されている場合に、ＣＭ（広告信号）の放送中に第２のチャンネルへの切り替えが行われ、そのまま第２のチャンネルの番組の視聴が継続された場合であっても、もともと視聴していた第１のチャンネルの番組も視聴できる。また、番組の放送開始時刻から所定時間内に視聴を開始し、継続して視聴している時間が所定時間以上となった番組（チャンネル）のみを録画候補とするので、不要な録画処理を抑制し、視聴者が真に録画を希望する可能性の高い番組のみを録画できる。
【図面の簡単な説明】
【００１８】
【図１】実施形態１のテレビジョン受信機の構成例を示すブロック図である。
【図２】テレビジョン受信機の機能構成例を示す機能ブロック図である。
【図３】テレビジョン受信機による視聴処理の手順を示すフローチャートである。
【図４】テレビジョン受信機による視聴処理の手順を示すフローチャートである。
【図５】録画処理を実行しているテレビジョン受信機による視聴処理の手順を示すフローチャートである。
【図６】実施形態２のテレビジョン受信機による視聴処理の手順の一部を示すフローチャートである。
【発明を実施するための形態】
【００１９】
以下に、本発明に係る放送信号受信機及びテレビジョン受信機について、その実施形態を示す図面に基づいて詳述する。
【００２０】
（実施形態１）
以下に、実施形態１に係るテレビジョン受信機について説明する。
図１は、実施形態１のテレビジョン受信機の構成例を示すブロック図である。本実施形態１のテレビジョン受信機１は、制御部１０、ＲＡＭ（Random Access Memory）１１、記憶部１２、ＨＤＤ（Hard Disk Drive）１３、第１チューナ１４ａ、第２チューナ１４ｂ、信号処理部１５、操作部１６及び表示部１７等を備える。これらの各部はバスを介して相互に接続されている。なお、本実施形態１のテレビジョン受信機１は、２つのチューナ１４ａ，１４ｂを備えているが、３つ以上であってもよい。
【００２１】
制御部１０は、ＣＰＵ（Central Processing Unit ）又はＭＰＵ（Micro Processor Unit）等である。制御部１０は、記憶部１２に記憶されている制御プログラムを適宜ＲＡＭ１１にロードして実行することにより上述した各部を制御し、テレビジョン受信機１を、本発明に係る放送信号受信機及びテレビジョン受信機として動作させる。なお、制御部１０は、絶対時刻（年／月／日／時／分／秒）を示す時計（時計部）を有している。
【００２２】
ＲＡＭ１１は、ＳＲＡＭ（Static ＲＡＭ）、ＤＲＡＭ（Dynamic ＲＡＭ）、フラッシュメモリ等である。ＲＡＭ１１は、制御部１０による各種の制御プログラムの実行時に発生する種々のデータを一時的に記憶する。
記憶部１２は、ＥＥＰＲＯＭ（Electrically Erasable and Programmable ROM）、フラッシュメモリ等の不揮発性メモリである。記憶部１２は、制御部１０が実行すべき制御プログラム及び各種データを予め記憶している。
ＨＤＤ（記録部）１３は、大容量のＨＤを内蔵しており、チューナ１４ａ，１４ｂを介して受信したテレビジョン放送の放送信号を番組単位でＨＤに記憶（記録）する。
【００２３】
第１チューナ１４ａ及び第２チューナ１４ｂは同一のチューナである。チューナ（受信部）１４ａ，１４ｂは、図示しないアンテナに接続されており、ユーザ（視聴者）により選択されたチャンネルに応じてアンテナで受信した電波を検波してテレビジョン放送の放送信号を受信する。チューナ１４ａ，１４ｂは、受信した放送信号を信号処理部１５へ送出する。
【００２４】
アンテナが受信する電波には、放送番組の番組信号（番組コンテンツ）に係る電波のほかに、各放送局が放送する放送番組のジャンル、チャンネル、放送開始日時（放送開始時刻）、放送終了日時及び番組タイトル等を示す番組情報を含むＥＰＧ（電子番組表）信号に係る電波が定期的に含まれる。また、民間の放送事業者によるテレビジョン放送においては、番組信号にＣＭ信号（広告信号）が適宜挿入されている。従って、チューナ１４ａ，１４ｂが受信する放送信号には、番組信号だけでなくＥＰＧ信号及びＣＭ信号も含まれる。
【００２５】
信号処理部１５は、チューナ１４ａ，１４ｂが受信した放送信号に対して、ＦＦＴ（高速フーリエ変換）処理及び復調処理等の所定の処理を行い、放送信号から、放送番組の番組信号及びＣＭ信号、並びにＥＰＧ信号をそれぞれ抽出する。信号処理部１５は、制御部１０からの指示に従って、抽出した放送番組の番組信号及びＣＭ信号をＨＤＤ１３へ送出して記憶（録画）させ、又は表示部１７へ送出して表示させる。なお、信号処理部１５は、操作部１６を介したユーザの操作に応じて、抽出したＥＰＧ信号を表示部１７へ送出して表示させる。また信号処理部１５が放送信号から抽出した番組信号には音声信号が含まれており、音声信号は、図示しないスピーカへ入力されて音声出力される。なお、本実施形態１のテレビジョン受信機１は、複数のチューナ１４ａ，１４ｂを備えているので、それぞれのチューナ１４ａ，１４ｂに対応する信号処理部１５を複数備えてもよい。また、１つの信号処理部１５で複数のチューナ１４ａ，１４ｂから並行して送出されてくる放送信号を順次切り替えて処理するようにしてもよい。
【００２６】
操作部１６は、テレビジョン受信機１をユーザが操作するために必要な各種のキーを備えており、ユーザにより各キーが操作された場合、操作されたキーに対応した制御信号を制御部１０へ送出する。制御部１０は操作部１６から取得する制御信号に従って各種処理を実行する。例えば操作部１６には、視聴中のチャンネルを切り替えるためのチャンネル切替キーが設けられている。チャンネル切替キーが操作された場合、操作部１６は、テレビジョン放送用の複数のチャンネルのいずれかの選択を受け付ける受付部として動作し、選択されたチャンネルを示す制御信号を制御部１０へ送出する。
【００２７】
テレビジョン受信機１は、遠隔から操作するためのリモートコントロール装置から送信されてくるリモコン信号を受信する受信部を備えてもよい。この場合、受信部は、受信したリモコン信号を制御部１０へ送出し、制御部１０は、リモコン信号を解析し、リモコン信号に応じてテレビジョン受信機１の各部の動作を制御する。なお、リモートコントロール装置には、例えば、チャンネルを切り替えるための１〜１２の数字キー、十字キー、決定キー及びクリアキー等が設けられている。また以下では、リモートコントロール装置を介してユーザが行った操作も、操作部１６を介してユーザが行った操作として説明する。
【００２８】
表示部１７は、液晶ディスプレイ、プラズマディスプレイ又は有機ＥＬ（Electro Luminescence）ディスプレイ等である。表示部１７は、制御部１０からの指示に従って各種の情報を表示する。例えば、表示部１７は、チューナ１４ａ，１４ｂで受信されて信号処理部１５で処理された放送信号（番組信号、ＣＭ信号、ＥＰＧ信号）に基づいて、番組情報及びＣＭ情報、並びにＥＰＧ情報を表示する。また表示部１７は、ＨＤＤ１３に記録された放送信号（番組信号、ＣＭ信号）に基づいて番組情報及びＣＭ情報を表示する。更に表示部１７は、テレビジョン受信機１の動作状態、ユーザに対して通知すべき情報、テレビジョン受信機１を操作するためのメニュー画面等を表示する。
【００２９】
本実施形態１のテレビジョン受信機１は、上述したように２つのチューナ１４ａ，１４ｂを備える。よって、一方のチューナ１４ａで受信した放送信号を表示部１７で視聴する処理と、他方のチューナ１４ｂで受信した放送信号をＨＤＤ１３に記録する処理とを並行して行うことができる。
【００３０】
次に、上述した構成のテレビジョン受信機１において、制御部１０が記憶部１２に記憶してある制御プログラムを実行することによって実現されるテレビジョン受信機１の機能について説明する。図２は、テレビジョン受信機１の機能構成例を示す機能ブロック図である。本実施形態１のテレビジョン受信機１において、制御部１０は、記憶部１２に記憶してある制御プログラムを実行することによって、録画候補判定部２０、ＣＭ検出部２１、チャンネル切替検出部２２、録画実行判定部２３、視聴切替部２４、録画処理部２５等の各機能を実現する。なお、本実施形態１のテレビジョン受信機１において、制御部１０は、チューナ１４ａ，１４ｂのいずれかで受信する放送信号を表示部１７にて出力する視聴処理を行いつつ、上述した各機能の動作を行う。
【００３１】
本実施形態１のテレビジョン受信機１は、ユーザが、あるチャンネル（第１のチャンネル）の番組の視聴中に、ＣＭが開始されたことによって他のチャンネル（第２のチャンネル）に切り替え、そのまま他のチャンネルの番組を視聴し続けた場合に、前のチャンネル（第１のチャンネル）の番組を録画する構成である。また、放送開始時刻（放送開始日時）から所定時間（例えば１０分間）が経過するまでの間に視聴が開始されており、且つ、連続して視聴されている時間が所定時間（例えば１５分間）以上となった番組を、上述したような録画を行う候補（録画候補）とする。即ち、本実施形態１のテレビジョン受信機１は、放送開始時刻から所定時間内に視聴が開始され、連続視聴時間が所定時間以上となった番組の視聴中に、ＣＭの放送中に他のチャンネルに切り替えられ、そのまま他のチャンネルの番組の視聴が継続された場合に、前のチャンネルの番組を録画する構成である。
【００３２】
録画候補判定部２０は、ユーザが視聴中の番組が録画候補の番組となるか否かを判定する。具体的には、録画候補判定部２０はまず、ユーザがあるチャンネル（以下では、第１のチャンネルという）の番組の視聴を開始した場合、その時点で自身の時計が示す時刻が、視聴を開始した番組（第１のチャンネルの番組）の放送開始時刻から所定時間（例えば１０分）以内の時刻であるか否かを判断する。より具体的には、録画候補判定部（第１判断部）２０は、いずれかのチューナ１４ａ，１４ｂ（ここでは第１チューナ１４ａとする）が、ユーザによって選択された第１のチャンネルの放送信号の受信を開始した時点の時刻が、第１のチャンネルの番組の放送開始時刻から所定時間以内の時刻であるか否かを判断する。なお、チューナ１４ａ，１４ｂは、例えば、操作部１６を介してユーザがテレビ番組の視聴の開始指示を行った場合、又はテレビ番組の視聴中にユーザがチャンネルを切り替えた場合に、制御部１０からの指示に従って、適宜チャンネルを切り替えて放送信号を受信する。また、番組の放送開始時刻は、放送信号に含まれるＥＰＧ信号から取得できる。
【００３３】
録画候補判定部２０は、ユーザが第１のチャンネルの番組の視聴を開始した時点の時刻が、番組の放送開始時刻から所定時間以内の時刻でないと判断した場合、この番組は録画候補ではないと判定する。
一方、ユーザが第１のチャンネルの番組の視聴を開始した時点の時刻が、番組の放送開始時刻から所定時間以内の時刻であると判断した場合、録画候補判定部２０は次に、ユーザが第１のチャンネルの番組を継続（連続）して視聴した時間（連続視聴時間）が所定時間（例えば１５分）以上となったか否かを判断する。具体的には、録画候補判定部（第２判断部）２０は、第１チューナ１４ａが第１のチャンネルの放送信号を連続して受信した時間が所定時間以上となったか否かを判断する。
【００３４】
連続視聴時間が所定時間以上となる前にチャンネルが切り替えられた場合、録画候補判定部２０は、この第１のチャンネルの番組は録画候補ではないと判定する。なお、録画候補判定部２０は、切り替えられたチャンネルについて、上述した処理を同様に行う。即ち、録画候補判定部２０は、切り替えられたチャンネルについて、視聴を開始した時刻が、放送開始時刻から所定時間以内の時刻であるか否かを判断し、また、連続視聴時間が所定時間以上となったか否かを判断し、これらの判断結果に応じて録画候補となるか否かを判定する。
【００３５】
一方、連続視聴時間が所定時間以上となった場合、録画候補判定部２０は、この第１のチャンネルの番組は録画候補であると判定する。録画候補の番組であると判定した場合、録画候補判定部２０は、第１チューナ１４ａが受信する第１のチャンネルの番組が録画候補である旨をＣＭ検出部２１、チャンネル切替検出部２２及び視聴切替部２４に通知する。
【００３６】
ＣＭ検出部２１は、録画候補判定部２０から上述の通知があった場合、第１チューナ１４ａが受信する第１のチャンネルの放送信号を監視し、放送中の信号がＣＭ信号であるか番組信号であるかを検出する。ＣＭ検出部２１は、ＣＭ信号の放送開始及び放送終了を検出した場合、その旨を逐次録画実行判定部２３に通知する。
チャンネル切替検出部２２は、録画候補判定部２０から上述の通知があった場合、操作部１６からの制御信号を監視し、第１のチャンネルから他のチャンネルへの切り替えが指示されたか否かを検出し、切り替えが指示された場合、その旨を録画実行判定部２３及び視聴切替部２４に通知する。
【００３７】
視聴切替部２４は、録画候補判定部２０から上述の通知があった場合、チャンネル切替検出部２２から通知されたチャンネル（ユーザによって切替指示されたチャンネル、第２のチャンネル）の放送信号の受信を第２チューナ１４ｂに行わせる。そして視聴切替部（出力信号制御部）２４は、第２チューナ１４ｂが受信して信号処理部１５にて処理された第２のチャンネルの放送信号を表示部１７に出力し、第２のチャンネルの番組の表示を開始する。なお、このとき視聴切替部２４は、第１チューナ１４ａが受信する第１のチャンネルの放送信号の表示部１７への出力を終了する。これにより、表示部１７で視聴される番組が第１のチャンネルの番組から第２のチャンネルの番組に切り替えられる。
従って、録画候補の番組がある場合、第１チューナ１４ａは第１のチャンネルの放送信号の受信を継続したまま、第２チューナ１４ｂが第２のチャンネルの放送信号の受信を開始し、表示部１７は第２チューナ１４ｂが受信する第２のチャンネルの放送信号の表示を開始する。
【００３８】
なお、チャンネル切替検出部２２は、録画候補判定部２０から上述の通知がない場合にも、操作部１６からの制御信号を監視してチャンネルの切り替えが指示されたか否かを検出する。そしてチャンネル切替検出部２２は、チャンネルの切替指示を検出する都度、切り替えを指示されたチャンネルを視聴切替部２４に通知する。
【００３９】
視聴切替部２４は、録画候補判定部２０から上述の通知がない場合、チャンネル切替検出部２２から通知されたチャンネル（ユーザによって切替指示されたチャンネル、第２のチャンネル）の放送信号の受信を第１チューナ１４ａに行わせる。なお、このとき視聴切替部２４は、第１チューナ１４ａによる第１のチャンネルの放送信号の受信を終了する。そして視聴切替部２４は、第１チューナ１４ａが受信する第２のチャンネルの放送信号を表示部１７に出力し、第２のチャンネルの番組の表示を開始する。これにより、表示部１７で視聴される番組が第１のチャンネルの番組から第２のチャンネルの番組に切り替えられる。
従って、録画候補の番組がない場合、第１チューナ１４ａは第１のチャンネルの放送信号の受信を終了し、第２のチャンネルの放送信号の受信に切り替え、表示部１７は第１チューナ１４ａが受信する第２のチャンネルの放送信号の表示を開始する。
【００４０】
録画実行判定部２３は、ＣＭ検出部２１からの通知情報と、チャンネル切替検出部２２からの通知情報とに基づいて、録画候補判定部２０によって録画候補と判定された番組に対して録画処理を開始すべきか否かを判定する。具体的には、録画実行判定部（判定部）２３はまず、チャンネル切替検出部２２から他のチャンネル（第２のチャンネル）への切り替え指示があった旨を通知された場合、このときの第１のチャンネルの放送信号がＣＭ信号であるか否かを判定する。即ち、録画実行判定部２３は、ユーザがチャンネルを切り替えたときに第１のチャンネルの放送信号がＣＭ信号であったか否かを判定する。
【００４１】
ユーザがチャンネルを切り替えたときに第１のチャンネルの放送信号がＣＭ信号でなかった場合、録画実行判定部２３は、第１のチャンネルの番組を録画候補から除外する。例えば、録画実行判定部２３は、第１チューナ１４ａによる第１のチャンネルの放送信号の受信を終了する。第１のチャンネルの放送信号が番組信号であるときにユーザがチャンネルを切り替えた場合、ユーザは第１のチャンネルの番組の視聴を故意に終了したと考えられるので、このような番組は録画対象としない。
【００４２】
ユーザがチャンネルを切り替えたときに第１のチャンネルの放送信号がＣＭ信号であった場合、録画実行判定部２３は、次にＣＭ検出部２１及びチャンネル切替検出部２２から通知される情報に基づいて、第１のチャンネルの番組の録画処理を開始すべきか否かを判定する。具体的には、録画実行判定部２３は、ＣＭ検出部（信号切替検出部）２１及びチャンネル切替検出部２２からの通知情報に基づいて、第１のチャンネルの放送信号が番組信号に切り替わる前に、第１のチャンネルへの切り替え指示があるか否かを判定する。即ち、録画実行判定部２３は、ＣＭ検出部２１から第１のチャンネルにおけるＣＭ信号の放送終了を通知される前に、チャンネル切替検出部２２から第１のチャンネルへの切り替え指示を通知されたか否かを判定する。
【００４３】
第１のチャンネルの放送信号が番組信号に切り替わる前に、第１のチャンネルへの切り替え指示があった場合、録画実行判定部２３は、第１のチャンネルの番組を録画候補から除外する。即ち、第１のチャンネルでＣＭ放送中に、異なるチャンネルに切り替えたユーザが再度第１のチャンネルへの切り替えを指示した場合、ユーザは以降においても第１のチャンネルの番組を視聴する意志があると考えられるので、このような番組は録画対象としない。なお、このとき、視聴切替部２４によって第２チューナ１４ｂによる第１のチャンネルの放送信号の受信、及び第２チューナ１４ｂが受信する第１のチャンネルの放送信号の表示部１７への出力が開始されている。よって、録画実行判定部２３は、第１チューナ１４ａによる第１のチャンネルの放送信号の受信を終了すればよい。
【００４４】
第１のチャンネルの放送信号が番組信号に切り替わるまでに、第１のチャンネルへの切り替え指示がなかった場合、録画実行判定部２３は、第１チューナ１４ａが受信する第１のチャンネルの放送信号の録画処理の実行を録画処理部２５に指示する。
録画処理部２５は、録画実行判定部２３からの指示に従って、第１チューナ１４ａが受信する第１のチャンネルの放送信号をＨＤＤ１３に記録する録画処理を開始する。これにより、番組信号に切り替わった時点から第１のチャンネルの番組の録画処理を行うことができる。
【００４５】
以下に、本実施形態１のテレビジョン受信機１による視聴処理についてフローチャートに基づいて説明する。図３及び図４は、テレビジョン受信機１による視聴処理の手順を示すフローチャートである。なお、ユーザが操作部１６を操作してテレビジョン受信機１の動作終了を指示した場合、即ち、テレビ番組の視聴終了を指示した場合、制御部１０は終了処理を行い、テレビジョン受信機１は動作を終了する。しかし、フローチャートの煩雑化を避けるため、また、説明の簡略化のため、以下では、ユーザがテレビ番組の視聴終了を指示した場合に制御部１０が行う処理についての図示及び説明を省略する。
【００４６】
動作中のテレビジョン受信機１において、制御部１０は、チャンネルの切替指示を受け付けたか否かを判断しており（Ｓ１）、チャンネルの切替指示を受け付けていないと判断した場合（Ｓ１：ＮＯ）、その他の処理を行いつつ待機する。テレビ番組の視聴中のユーザは操作部１６を介してチャンネルの切替を行うことができ、制御部１０は、操作部１６を介してチャンネルの切替指示を受け付ける。またテレビジョン受信機１は、前回動作を終了する前に視聴していたチャンネルを例えば記憶部１２に記憶している。そして、起動処理後のテレビジョン受信機１において、制御部１０は、記憶部１２に記憶してある前回の視聴チャンネルを読み出し、読み出したチャンネルにて放送信号の受信を開始する。なお、この場合、制御部１０は、記憶部１２から読み出したチャンネルを、切替指示を受け付けたチャンネルとする。
【００４７】
チャンネルの切替指示を受け付けたと判断した場合（Ｓ１：ＹＥＳ）、制御部１０は、切替指示を受け付けたチャンネルの番組に視聴番組を切り替える（Ｓ２）。具体的には、制御部１０は、切替指示を受け付けたチャンネルの放送信号の受信を、例えば第１チューナ１４ａにて開始し、第１チューナ１４ａが受信する放送信号の表示部１７への出力を開始する。切替指示を受け付けたチャンネルの視聴処理が開始された場合、制御部１０（録画候補判定部２０）は、この時点の時刻が、視聴を開始した番組の放送開始時刻から所定時間内の時刻であるか否かを判断する（Ｓ３）。視聴を開始した番組の放送開始時刻から所定時間内の時刻でないと判断した場合（Ｓ３：ＮＯ）、制御部１０は、ステップＳ１に処理を戻す。制御部１０は、チャンネルの切替指示を受け付ける都度、ステップＳ２，Ｓ３の処理を繰り返し、これにより、ユーザは、切替指示したチャンネルの放送信号を表示部１７にて視聴できる。
【００４８】
切替指示されたチャンネルの視聴処理を開始した時点の時刻が、視聴を開始した番組の放送開始時刻から所定時間内の時刻であると判断した場合（Ｓ３：ＹＥＳ）、制御部１０は、この番組の連続視聴時間の計時処理を開始する（Ｓ４）。
制御部１０は、連続視聴時間が所定時間以上となったか否かを判断しており（Ｓ５）、所定時間以上でないと判断した場合（Ｓ５：ＮＯ）、チャンネルの切替指示を受け付けたか否かを判断する（Ｓ６）。ここで、チャンネルの切替指示を受け付けていないと判断した場合（Ｓ６：ＮＯ）、制御部１０は、ステップＳ５に処理を戻し、連続視聴時間が所定時間以上となるか、チャンネルの切替指示を受け付けるまで、ステップＳ５，Ｓ６の処理を繰り返す。
【００４９】
チャンネルの切替指示を受け付けたと判断した場合（Ｓ６：ＹＥＳ）、制御部１０は、ステップＳ２に処理を戻し、切替指示を受け付けたチャンネルについて、ステップＳ２〜Ｓ６の処理を繰り返す。具体的には、制御部１０は、切替指示を受け付けたチャンネルの番組の視聴処理を開始し（Ｓ２）、開始した時点の時刻が、視聴を開始した番組の放送開始時刻から所定時間内の時刻であるか否かを判断する（Ｓ３）。また制御部１０は、視聴を開始した番組の連続視聴時間の計時処理を開始し（Ｓ４）、連続視聴時間が所定時間以上となったか否かを判断する（Ｓ５）。
【００５０】
連続視聴時間が所定時間以上となったと判断した場合（Ｓ５：ＹＥＳ）、制御部１０は、このとき第１チューナ１４ａが受信している放送信号のチャンネル（番組）を録画候補に決定する（Ｓ７）。なお、録画候補に決定されたチャンネルは第１のチャンネルとする。
制御部１０（チャンネル切替検出部２２）は、第１のチャンネル以外のチャンネルへの切替指示を受け付けたか否かを判断しており（Ｓ８）、チャンネルの切替指示を受け付けていないと判断した場合（Ｓ８：ＮＯ）、その他の処理を行いつつ待機する。例えば、制御部１０は、第１チューナ１４ａが受信する第１のチャンネルの放送信号の表示部１７での視聴処理を継続する。
【００５１】
第１のチャンネル以外のチャンネルへの切替指示を受け付けたと判断した場合（Ｓ８：ＹＥＳ）、制御部１０（視聴切替部２４）は、切替指示を受け付けたチャンネルの番組に視聴番組を切り替える（Ｓ９）。ここでは、制御部１０は、切替指示を受け付けたチャンネルの放送信号の受信を第２チューナ１４ｂにて開始し、第２チューナ１４ｂが受信した放送信号の出力を表示部１７にて開始する。
また制御部１０（ＣＭ検出部２１）は、このときに第１のチャンネルではＣＭ信号の放送中であるか否かを判断する（Ｓ１０）。ＣＭ信号の放送中でないと判断した場合（Ｓ１０：ＮＯ）、制御部１０は、第１チューナ１４ａによる第１のチャンネルの放送信号の受信を終了し（Ｓ１１）、処理を終了する。なお、ステップＳ９で切り替えられた番組の視聴処理が継続して行われており、この視聴処理におけるチャンネル（番組）についても、上述した処理が行われているが、ここでは説明を省略する。
【００５２】
第１のチャンネルでＣＭ信号の放送中であると判断した場合（Ｓ１０：ＹＥＳ）、制御部１０は、第１チューナ１４ａが受信する第１のチャンネルの放送信号を監視し、ＣＭ信号の放送が終了したか否かを判断する（Ｓ１２）。ＣＭ信号の放送が終了していないと判断した場合（Ｓ１２：ＮＯ）、制御部１０は、チャンネルの切替指示を受け付けたか否かを判断する（Ｓ１３）。チャンネルの切替指示を受け付けていないと判断した場合（Ｓ１３：ＮＯ）、制御部１０は、ステップＳ１２に処理を戻し、第１のチャンネルにおいてＣＭ信号の放送が終了するか、チャンネルの切替指示を受け付けるまで、ステップＳ１２，Ｓ１３の処理を繰り返す。
【００５３】
チャンネルの切替指示を受け付けたと判断した場合（Ｓ１３：ＹＥＳ）、制御部１０は、切替指示されたチャンネルが、ステップＳ７で録画候補に決定されたチャンネル（第１のチャンネル）であるか否かを判断する（Ｓ１４）。録画候補に決定されたチャンネルではないと判断した場合（Ｓ１４：ＮＯ）、制御部１０は、切替指示を受け付けたチャンネルの番組に視聴番組を切り替える（Ｓ１５）。ここでは、制御部１０は、切替指示を受け付けたチャンネルの放送信号の受信を第２チューナ１４ｂにて開始し、第２チューナ１４ｂが受信した放送信号の出力を表示部１７にて開始する。その後、制御部１０は、ステップＳ１２に処理を戻し、処理を繰り返す。
【００５４】
切替指示されたチャンネルが、録画候補に決定されたチャンネルであると判断した場合（Ｓ１４：ＹＥＳ）、制御部１０は、第１チューナ１４ａによる第１のチャンネルの放送信号の受信を終了し（Ｓ１１）、処理を終了する。即ち、第１のチャンネルでＣＭ信号の放送中に、一旦他のチャンネルへの切替を行った後、第１のチャンネルの視聴を再度開始した場合、この第１のチャンネルの番組を録画対象から除外する。なお、ここでは、ステップＳ９又はＳ１５で切り替えられた番組の視聴処理、具体的には、第２チューナ１４ｂが受信する放送信号の視聴処理が継続して行われており、この視聴処理におけるチャンネル（番組）についても、上述した処理が行われているが、ここでは説明を省略する。また、ここでは、第１チューナ１４ａによる第１のチャンネルの放送信号の受信を終了する代わりに、第２チューナ１４ｂによる第１のチャンネルの放送信号の受信を終了し、第１チューナ１４ａが受信する放送信号について、上述した処理を行ってもよい。
【００５５】
第１のチャンネルの放送信号において、ＣＭ信号の放送が終了したと判断した場合（Ｓ１２：ＹＥＳ）、制御部１０（録画処理部２５）は、第１チューナ１４ａが受信する第１のチャンネルの放送信号をＨＤＤ１３に記録する録画処理を開始し（Ｓ１６）、処理を終了する。上述した処理により、番組の放送開始時刻から所定時間内に視聴を開始し、更に連続視聴時間が所定時間以上となった番組について、ＣＭ放送中に他のチャンネルに切り替えられ、ＣＭ終了後も他のチャンネルの視聴が継続されていた場合、ＣＭ終了後に録画が開始される。よって、番組の放送開始時刻から所定時間内に視聴を開始し、更に連続視聴時間が所定時間以上となった番組で、ＣＭ放送中に他のチャンネルに切り替えられたことによって、それ以降視聴できなかった番組を後日視聴できる。これにより、同一時間帯に放送される複数の番組を共に視聴することが可能となる。
【００５６】
次に、上述したような録画処理の実行中に、録画処理が実行されているチャンネルへの切替指示（視聴指示）を受け付けた場合にテレビジョン受信機１が行う処理について説明する。図５は、録画処理を実行しているテレビジョン受信機１による視聴処理の手順を示すフローチャートである。
【００５７】
上述したような録画処理の実行中のテレビジョン受信機１において、制御部１０は、チャンネルの切替指示を受け付けたか否かを判断しており（Ｓ２１）、チャンネルの切替指示を受け付けていないと判断した場合（Ｓ２１：ＮＯ）、その他の処理を行いつつ待機する。チャンネルの切替指示を受け付けたと判断した場合（Ｓ２１：ＹＥＳ）、制御部１０は、切替指示を受け付けたチャンネルが、現在録画中のチャンネルであるか否かを判断する（Ｓ２２）。録画中のチャンネルでないと判断した場合（Ｓ２２：ＮＯ）、制御部１０は、切替指示を受け付けたチャンネルの番組に視聴番組を切り替えて（Ｓ２３）、処理を終了する。具体的には、制御部１０は、切替指示を受け付けたチャンネルの放送信号の受信を、例えば第２チューナ１４ｂにて開始し、第２チューナ１４ｂが受信する放送信号の表示部１７への出力を開始する。なお、第１チューナ１４ａは、録画中の番組信号を受信するために使用されている。
【００５８】
切替指示を受け付けたチャンネルが、現在録画中のチャンネルであると判断した場合（Ｓ２２：ＹＥＳ）、制御部１０は、録画した番組を視聴（再生）するか、現在放送中の番組を視聴するかの選択を受け付ける選択画面を表示部１７に表示する（Ｓ２４）。選択画面には、例えば「選択されたチャンネルの番組は現在録画中です。視聴を中断した場面までさかのぼって視聴できますが、視聴しますか？」のようなメッセージが表示される。なお、録画した番組とは、放送開始時刻から所定時間以内に視聴を開始し、連続視聴時間が所定時間以上である番組で、更にＣＭ信号の放送中に他のチャンネルに切り替えられて、それ以降視聴されていない番組である。
【００５９】
制御部（再生指示受付部）１０は、選択画面を介したユーザからの指示に従って、録画した番組の視聴（再生）指示を受け付けたか否かを判断する（Ｓ２５）。録画した番組の視聴指示を受け付けなかったと判断した場合（Ｓ２５：ＮＯ）、即ち、現在放送中の番組の視聴指示を受け付けた場合、制御部１０は、切替指示を受け付けたチャンネルにて現在放送中の番組に視聴番組を切り替えて（Ｓ２３）、処理を終了する。なお、ここでは、制御部１０は、切替指示を受け付けたチャンネルの放送信号の受信を第２チューナ１４ｂにて開始し、第２チューナ１４ｂが受信する放送信号の表示部１７への出力を開始する。また、この際、第１チューナ１４ａが受信する放送信号のＨＤＤ１３への録画処理を終了してもよい。
【００６０】
録画した番組の視聴指示を受け付けたと判断した場合（Ｓ２５：ＹＥＳ）、制御部１０は、ＨＤＤ１３に録画した番組の再生処理を開始し（Ｓ２６）、処理を終了する。ここでは、制御部１０は、録画中の番組、即ち、ステップＳ２１で切替されたチャンネルの番組をＨＤＤ１３に録画する処理を継続しつつ、この番組をＨＤＤ１３から読み出して表示部１７で再生させる処理を開始する。
【００６１】
上述した処理により、所定の条件を満たすことによって録画が開始された番組について、この番組の視聴が再度要求された場合に、録画を開始した時点からの視聴を行うか、現在放送中の時点からの視聴を行うかを選択できる。よって、視聴していない箇所の視聴が可能となるとともに、ユーザが視聴したくない場合には、視聴を回避できる。なお、所定の条件を満たす番組とは、放送開始時刻から所定時間以内に視聴を開始し、連続視聴時間が所定時間以上であり、更にＣＭ信号の放送中に他のチャンネルに切り替えられて、それ以降視聴されていない番組である。
【００６２】
（実施形態２）
以下に、実施形態２に係るテレビジョン受信機１について説明する。本実施形態２のテレビジョン受信機は、上述した実施形態１のテレビジョン受信機１と同様の構成を有するので、同様の構成については同一の符号を付して説明を省略する。
【００６３】
上述の実施形態１のテレビジョン受信機１は、放送開始時刻から所定時間以内に視聴を開始し、連続視聴時間が所定時間以上となった番組（チャンネル）を録画候補に決定し、録画候補のチャンネルにおいて、ＣＭ信号の放送中に他のチャンネルに切り替られて、ＣＭ信号の放送終了以降に視聴されていない番組を録画する構成である。
これに対して、本実施形態２のテレビジョン受信機１は、録画候補となる番組のジャンルを予め設定しておき、設定されたジャンルの番組であって、放送開始時刻から所定時間以内に視聴を開始し、連続視聴時間が所定時間以上となった番組を録画候補に決定する構成とする。よって、本実施形態２のテレビジョン受信機１では、録画候補とすべき番組のジャンル情報が記憶部（ジャンル記憶部）１２に予め記憶されている。なお、記憶部１２に記憶してあるジャンル情報は、ユーザによって登録又は変更可能である。
【００６４】
以下に、本実施形態２のテレビジョン受信機１による視聴処理について説明する。本実施形態２のテレビジョン受信機１は、上述の実施形態１のテレビジョン受信機１が行う視聴処理と同様の処理を行う。即ち、本実施形態２のテレビジョン受信機１は、図３及び図４に示した処理と同様の処理を行うので、同様の処理については説明を省略し、異なる処理についてのみ説明する。
【００６５】
図６は、実施形態２のテレビジョン受信機１による視聴処理の手順の一部を示すフローチャートである。なお、実施形態１のテレビジョン受信機１が行う処理と同様の処理については、同一のステップ番号を付して説明を省略する。
本実施形態１のテレビジョン受信機１において、制御部１０は、上述の実施形態１と同様に、チャンネルの切替指示を受け付けたと判断した場合（Ｓ１：ＹＥＳ）、切替指示を受け付けたチャンネルの番組に視聴番組を切り替える（Ｓ２）。
【００６６】
制御部（ジャンル判断部）１０（録画候補判定部２０）は、切替指示を受け付けたチャンネルの視聴処理が開始された場合、このチャンネルの番組のジャンルが、予め記憶部１２に記憶してあるジャンル情報が示すジャンル（登録ジャンル）であるか否かを判断する（Ｓ３１）。なお、視聴処理が開始されたチャンネルの番組のジャンル情報は、ＥＰＧ信号から取得できる。登録ジャンルでないと判断した場合（Ｓ３１：ＮＯ）、制御部１０は、ステップＳ１に処理を戻す。登録ジャンルであると判断した場合（Ｓ３１：ＹＥＳ）、制御部１０は、ステップＳ３に処理を移行し、ステップＳ３以降の処理を行う。
【００６７】
本実施形態２のテレビジョン受信機１においても、番組の放送開始時刻から所定時間内に視聴を開始し、更に連続視聴時間が所定時間以上となった番組で、ＣＭ放送中に他のチャンネルに切り替えられたことによって、それ以降視聴できなかった番組を後日視聴できる。これにより、同一時間帯に放送される複数の番組を共に視聴することが可能となる。
また、本実施形態２のテレビジョン受信機１では、録画対象（候補）となる番組を、予め設定されたジャンルの番組に制限できるので、録画処理が増加することを防止でき、ユーザが真に録画を希望する番組のみを録画対象とすることができる。
【００６８】
上述の実施形態２のテレビジョン受信機１は、録画候補となる番組を、予め登録したジャンルの番組に制限する構成である。このほかに、例えば、放送時間、具体的には、放送開始日時から放送終了日時までの時間が所定時間（例えば、１時間）以上の番組に制限してもよい。この場合、制御部１０は、図６に示したフローチャート中のステップＳ３１の処理の代わりに、視聴処理が開始された番組の放送時間が、予め設定された時間以上であるか否かを判断すればよい。また、録画処理に用いるリソースに空きがあるか否かを予め判断し、空きがない場合に、リソースに空きがないことによって録画できない旨のメッセージをユーザに通知するようにしてもよい。なお、録画処理に必要なリソースに空きがあるか否かを判断する処理は、例えば、図３及び図４に示したフローチャート中のステップＳ２の後段、又はステップＳ７の前段等で行ってもよい。
【００６９】
上述の実施形態１，２では、本発明に係る放送信号受信機を、録画機能を有するテレビジョン受信機１に適用した構成を例に説明した。このほかに、本発明に係る放送信号受信機は、表示部１７を備えない代わりに、表示装置に有線接続又は無線接続可能な接続部を有する記録再生装置、セットトップボックスにも適用できる。この場合、記録再生装置又はセットトップボックスは、チューナで受信した放送信号を外部の表示装置へ出力し、ユーザは外部の表示装置でテレビジョン放送の視聴を行うことができる。記録再生装置又はセットトップボックスに適用した場合であっても、上述の実施形態１，２で得られる効果と同様の効果が得られる。
【００７０】
以上、本発明の好適な実施形態について具体的に説明したが、各構成及び動作等は適宜変更可能であって、上述の実施形態に限定されることはない。
【符号の説明】
【００７１】
１  テレビジョン受信機（放送信号受信機）
１０  制御部（時計部、再生指示受付部、ジャンル判断部）
１２  記憶部（ジャンル記憶部）
１３  ＨＤＤ（記録部）
１４ａ  第１チューナ（受信部）
１４ｂ  第２チューナ（受信部）
１６  操作部（受付部）
１７  表示部（表示装置）
２０  録画候補判定部（第１判断部、第２判断部）
２１  ＣＭ検出部（信号切替検出部）
２２  チャンネル切替検出部
２３  録画実行判定部（判定部）
２４  視聴切替部（出力信号制御部）
【図１】
2014049894.tif 000003
【図２】
2014049894.tif 000004
【図３】
2014049894.tif 000005
【図４】
2014049894.tif 000006
【図５】
2014049894.tif 000007
【図６】
2014049894.tif 000008